(57)【要約】  ヘアカラー器具が、ハンドル、およびハンドル内に支持されるヘアカラー送達システム（１０）を含む。ノズル組立体（４２）が、ヘアカラーを受けるように構成される。ノズル組立体は、静止枠部（４４）と、ヘアカラーがそこから髪へと送達されるノズルアレイ（５６）と、ノズルより長く、ノズルと頭皮の間のスタンドオフとして機能する、ノズル（６４）に隣り合う複数のフィラメント（８４）とを含む。ヘアカラーがノズル（６４）を通って移動するとき、モータ（３０）により、ノズルアレイ（５６）が前後に往復運動する。【選択図】図１
2019533529.tif 000002
【特許請求の範囲】
【請求項１】
器具であって、
ハンドルと、
前記ハンドル内に支持される化粧用組成物送達システムと、
化粧用組成物がそこを通って案内される複数のノズルを含むノズルアレイを含み、前記送達システムから前記化粧用組成物を受ける、ノズル組立体と、
前記器具が使用者によって髪に通されるとき、前記ノズルアレイを動かして前後に往復運動させ、それによって前記化粧用組成物を送達するモータと、
を備える、器具。
【請求項２】
請求項１に記載の器具において、前記ノズルアレイと頭皮の間のスタンドオフとして機能する、前記ノズルアレイに隣り合って位置決めされる複数のフィラメントをさらに備える、器具。
【請求項３】
請求項１に記載の器具において、前記化粧用組成物送達システムが、ヘアカラー組成物送達システムを備え、前記モータは、前記器具が前記使用者によって前記髪に通されるとき、前記髪化粧用組成物を送達するように構成される、器具。
【請求項４】
請求項１に記載の器具において、前記化粧用組成物送達システムが、ヘアトリートメント組成物、頭皮治療組成物、脱毛治療組成物、およびヘアカラー組成物のうちの少なくとも１つのための１つまたは複数の容器を含む、器具。
【請求項５】
請求項１に記載の器具において、前記ノズルが、その側方両側のフィラメントと一列に並ぶ、器具。
【請求項６】
請求項５に記載の器具において、前記ノズルアレイが、間隔を空けられた４つのノズルを含み、前記ノズルの両側に、間隔を空けられた４つのフィラメントを含む、器具。
【請求項７】
請求項１に記載の器具において、前記ヘアカラーの到達範囲が、髪の根元では約１ｃｍである、器具。
【請求項８】
請求項３に記載の器具において、前記ノズルの運動が、少なくとも中心から中心までのノズル間隔と同じ大きさの振幅を有する、器具。
【請求項９】
請求項２に記載の器具において、前記フィラメントと前記ノズルの間のスタンドオフ距離が、少なくとも１．２７ｍｍ（０．０５インチ）である、器具。
【請求項１０】
請求項７に記載の器具において、前記ノズルアレイが前記髪を通って動かされたとき、前記器具の動作によって毛管作用が生じ、それによって前記根元で染められる髪の長さが長くなる、器具。
【請求項１１】
請求項１に記載の器具において、前記ノズルが、少なくとも約１．６５ｃｍ（０．６５インチ）の長さである、器具。
【請求項１２】
請求項１に記載の器具において、前記ノズルが、約１．０２ｃｍ（０．４インチ）離して間隔を空けられる、器具。
【請求項１３】
請求項１に記載の器具において、隣り合うノズル同士の間、および隣り合うフィラメント同士の間に、４０〜５０％の範囲の、あるパーセンテージの開いた領域を含む、器具。
【請求項１４】
請求項１に記載の器具において、前記ノズルが、少なくとも約１．０２ｍｍ（０．０４０インチ）の孔を有する、器具。
【請求項１５】
請求項１１に記載の器具において、前記孔が、前記ノズルアレイへの前記ヘアカラー組成物の入口地点のノズルから、連続するノズルに向けて大きくなる、器具。
【請求項１６】
請求項１に記載の器具において、前記ノズルアレイの振動の周波数が約４００Ｈｚである、器具。
【請求項１７】
請求項３に記載の器具において、前記ノズルアレイに位置決め可能なアタッチメント部材を含み、前記アタッチメント部材は、前記ノズルより下に延在し、成形された端部部材と、前記ノズルに流体連通した、前記端部部材間の開口とを有し、髪がその根元から毛先まで前記開口に通される、アタッチメント部材を含む、器具。
【請求項１８】
請求項１７に記載の器具において、前記端部部材の下端部が、前記頭皮と快適に接触するように湾曲している、器具。
【発明の詳細な説明】
【技術分野】
【０００１】
[001]本発明は、一般にはヘアカラー器具に関し、より詳細には、往復運動する１組のヘアカラー分注ノズルを含むこうした器具に関する。
【背景技術】
【０００２】
[002]ブラシおよび他の付属品を含む家庭用ヘアカラーセットが、通常はヘアカラーの変化を得るかまたは望ましくない白髪部分を隠すための経済的な方法として、ホームユーザによって広く使用されてきた。こうしたヘアカラーセットにより、このようにホームユーザが自身の髪を染めることが可能になるが、こうしたヘアカラーセットにはいくつかの知られている欠点がある。第１に、こうしたヘアカラーセットでは、カラーリングを実現するのに、通常は、カラー材料を準備するための５分、まず髪の根元にヘアカラーを塗布するための１０〜３０分、その後に続く放置時間、その後に続く、残りの髪を根元から毛先まで染めるために通し終える約５分、次いで髪を洗うことができるまでの少なくとも１０分を含めた長い時間がかかり、合計時間は５０〜７０分、または髪の長さに応じてさらに長時間になる。
【０００３】
[003]さらに、家庭でのヘアカラーは、カラーの塗布と片付けの両方において厄介なプロセスであることが多い。次いで、セットのあらゆる個々の構成要素および付属品を注意して処分しなければならない。
【０００４】
[004]さらに、髪を染めてカバーする均一性を実現するのには困難があることが多く、それにより、最終的な結果は、特に、訓練を積んだスタイリストによる熟練した塗布と比較すると不満足なものになることが多い。
【発明の概要】
【発明が解決しようとする課題】
【０００５】
[005]したがって、本発明は、上に述べた欠点のうちの１つまたは複数を解決することを対象とする。
【課題を解決するための手段】
【０００６】
[006]したがって、器具は、ハンドルと、ハンドル内に支持される化粧用組成物送達システムと、化粧用組成物がそこを通って案内される複数のノズルを含むノズルアレイを含むノズル組立体と、器具が使用者によって髪に通されるとき、ノズルアレイを動かして前後に往復運動させ、それによって化粧用組成物を送達するモータと、を備える。
【図面の簡単な説明】
【０００７】
【図１】[007]内部に器具が収容されるハンドルなしの、カラーリングポンプを含む完成した器具のブロック図である。
【図２】[008]図１のシステムのノズルおよびポンプ組立体の一部の概略図である。
【図３】[009]ノズルアレイの縦断面図である。
【図４】[0010]ノズル組立体のノズルアレイの横断面図である。
【図５】[0011]代替のカラーリングポンプ／ミキサ構成の斜視図である。
【図６】[0012]代替のノズル組立体の縦断面図である。
【図７】[0013]使用者の髪に使用している最中の器具の正面図である。
【図８】[0014]使用中の器具の側面図である。
【図９】[0015]頭皮から傾けられた使用中の器具の側面図である。
【図１０】[0016]根元から毛先まで髪を染めるためのアタッチメントを備えたノズル組立体の斜視図である。
【図１１】[0017]図１０の分解図である。
【図１２】[0018]髪に通されている器具の使用法を示す、図１０の横断面図である。
【発明を実施するための形態】
【０００８】
[0019]家庭用ヘアカラーは、２つの処理段階を含む。第１の段階では、髪の根元が処理され、放置時間が後に続く。第２の段階では、根元を越えてから毛先までの髪が処理され、それぞれ根元処理および毛先処理と呼ばれる。
【０００９】
[0020]本発明の器具は、ヘアカラーシステムが位置決めされるハンドルを含む。このカラーリングシステムは、図１にブロック図の形態で示してある。全体を１０で示したこのシステムは、選択した染料用の折り畳み可能容器１２と、発色剤（ｄｅｖｅｌｏｐｅｒ）用の折り畳み可能容器１４とを含む。各容器は、器具の使用時に開かれる閉じ具１６、１８をそれぞれ有する。
【００１０】
[0021]器具は、チャージコネクタ組立体２２に接続される壁バッテリチャージャ２０を含み、チャージコネクタ組立体２２の出力部は、器具のオン／オフスイッチ２６を有する制御装置２４に接続される。器具は、チャージャが壁に差し込まると充電するバッテリ２８によって動作する。器具を動作させる制御装置はモータ３０に接続し、モータ３０は、ギア減速機３１および継手３３を介してロータ流体ポンプ３２に連結し、このロータ流体ポンプ３２には、各容器からの流体管路１６、１８が連結される。ロータポンプにより、流体は流体コンバイナ３８へ、次いでスタティックミキサ４０へと動かされ、示されている実施形態では、これらはノズル組立体４２の外部に位置付けられている。
【００１１】
[0022]示されている実施形態では、ノズル組立体４２は、静的な（動かない）枠部または基部４４を含む。ノズルアレイ５６が、枠部４４の中で運動可能に支持される。ノズルアレイの運動は、スコッチヨークのスロット／ピン機構５７を用いて実現され、これは動作に際して、選択した距離すなわち振幅にわたって往復動方式で前後にノズルアレイを動かす。ロータ／ポンプ構造は、図２により詳細に示してある。図２では、染料容器および発色剤容器からの管路は４６および４８で示してあり、これらはノズルアレイ５６へと続く。ロータ／ポンプは図示のように回転し（図２）、スコッチヨークのスロット／ピン機構５７（図１）と協働すると、やはり図２に示すように、ノズルアレイ５６が横方向に運動する。ノズルアレイは、複数の、通常は４つの個々のノズル５８、６０、６２および６４を含む。ノズルアレイの一実施形態が、図３により詳細に示してある。カラー材料および発色剤は、フレキシブルなポンプチューブ６７、６９により、アレイ最上部の開口６８および７０を通ってノズルアレイへと案内され、アレイ上部のスタティックミキサ７２によって混合される。アレイは、７１において、ノズル枠部のその外辺部の周りで封止される。この封止は、溶着でも、糊付けでも、締り嵌めでもよい。スコッチヨークの延在部が、７３で示してある。混合された染料／発色剤は、アレイ上部の下方部分へと案内され、個々のノズル７４、７６、７８および８０に案内される。
【００１２】
[0023]再び図１を参照すると、運動可能ノズルアレイ５６は、ノズル枠部または基部４４に位置決めされる。１組または１列のフィラメント８４〜８４が、各ノズル管路の両側でノズル基部から下向きに延在し、ノズルに隣接する。動作に際して、フィラメントは、ノズル基部４４と同じように静止したままの状態であり、運動しているノズルアレイに隣接する。フィラメントは、フィラメント間に髪を捕捉または収容する。示されている実施形態では、フィラメントは、ヘアブラシまたはコームのフィラメントに類似した、典型的なブラシフィラメントである。示されている実施形態では、フィラメントは半径１ｍｍ未満の球状端部を有するが、球状端部は不可欠ではない。フィラメントは、示されている実施形態では約１．２７ｍｍ（約０．０５０インチ）の距離だけノズルの下縁部より下に延在し、それにより、動作に際してフィラメントの端部が頭皮に接触するとき、ノズルに頭皮からのスタンドオフを提供する。
【００１３】
[0024]図４には、ノズル組立体の断面図が示してある。これには、枠部／基部部材９０および１つのノズル９２が示してある。（前後に並んだ）染料ポンプチューブおよび発色剤ポンプチューブからスタティックミキサ９５へと通じているチャネル９３が、ノズルに連結される。２つのフィラメント９４および９６が、ノズルの両側でノズルに隣接する。ノズルの側方両側のフィラメントが好ましいが、ノズルの片側だけにフィラメントを使用することが可能であり、または場合によっては、フィラメントは無くされてもよい。上で示したように、この構成は、頭皮から約１ｃｍ程度の髪である、髪の根元を染めるために使用される。運動するノズル部分の運動の振幅に対する、連続する個々のノズル間の間隔が重要である。振幅は、上で示したように、中心から中心までのノズル間隔より小さくてはならない。最大限の到達範囲を達成するために。振幅がそれよりいくらか大きくなることも可能である。また、上で示したように、示されている実施形態では、フィラメントはノズルより下に延在して、炎症、および頭皮による染料／発色剤混合物の起こり得る過度の吸収を生じさせる場合がある、運動ノズルの頭皮への接触がないことを確実にする。
【００１４】
[0025]図５には、９８で全体を示した、代替のポンプ／ミキサ／スコッチヨーク構成が示してある。これは、染料容器および発色剤容器からの成形チューブ組立体９９、複数のノズル１０４を含むノズルアレイ１０３へと至る引き込みチューブ１０１および１０２に対して回転するロータ１００／ローラー１０１Ａ組立体を含む。固定ケースにおけるフィラメント１０５がノズルに隣接する。ノズルアレイは、ヨークスロット１０６と、シャトル１０６で動作してノズルアレイを前後に動かす、ロータ１１からの駆動ピン１０７とを含むスコッチヨークによって動かされる。
【００１５】
[0026]図７〜図９には、髪の根元を染めるために頭皮に沿って前から後ろに髪に通されるときの、器具の使用法が示してある。ノズルアレイは、頭皮の前縁部から好ましくは１０ｍｍのところで、通常はピークツーピークで約５ｍｍ〜１０ｍｍの範囲内のある振幅で左右に運動する。器具は、頭の前から後ろに頭皮に沿って通され、それにより、約１ｃｍまでの髪の根元が染まり、種々のブラシモータがうまく使用され得る。初回の（第１の）通過がなされた後、器具は頭皮の前縁部へと戻され、頭皮に沿って再び動かされる。これは頭皮全体がカバーされるまで続き、それにより、普通は６〜８回の連続的な通過を要して、すべての根元が染められる。
【００１６】
[0027]場合によっては、図９に示すように、フィラメントは、頭皮に対して垂直に位置決めされない。通常、使用者がブラシヘッドを頭皮に対して常に垂直に保つことは見込めない。許容可能なエラーの最大角度は、通常は垂直から２０°である。
【００１７】
[0028]根元の領域で染められる髪の長さに影響を与える別の要因は、カラー混合剤の髪での毛管作用である。カラー液の毛管作用により、根元で効果的に染められる髪の長さが長くなる。平均１ｃｍの到達範囲を超える追加の長さは、塗布される材料の量に依存し、その量はブラッシング速度で割ったポンプ流量、および他の要因によって決まる。ある概算では、さらに２０％の長さの髪が染められる。
【００１８】
[0029]根元の構成において効果的に染められる髪の長さに影響する別の要因は、髪を互いにきつく押し付ける、髪の圧縮である。一般に、ノズルが短すぎる場合、髪が圧縮されて根元に対する処理長さが影響を受け、根元だけではなく、髪の長さの全体または大半がカバーされる。通常、示されている実施形態では、ノズル先端からノズル基部までの距離、すなわちノズル長さは、髪の圧縮を避けるために約１．６５ｃｍ（約０．６５インチ）であるが、これはある程度まで変動してもよい。
【００１９】
[0030]さらに、器具の使用の快適さに関しては、ノズル同士の間の開いた領域のパーセンテージが重要である。コームと同様に、示されている実施形態での連続するノズル同士の間の開いた領域のパーセンテージは約５０％であり、これはいくらか大きくされてもよい。フィラメントについても、開いた領域についての同じ要件が当てはまる。
【００２０】
[0031]個々のノズルの孔も、器具をきれいに使用することに関して重要である場合がある。ポンプの圧力要件を抑えるために、またポンプが起動したとき、ノズル内の残留圧力により混合したカラー材料が連続的に滴ることがないのを確実にするために、各ノズルでの圧力降下が小さいことが望ましい。一般に、ノズルの最小口径は１．５２ｍｍ（０．０６０インチ）である。口径は、流体の入口に最も近いところを最小直径とし、ノズルアレイの他方の端部を最大直径として、ノズルアレイに沿って次第に大きくなるべきであることも理解される。一実施形態では、入口端部でのノズルの直径は１．６５ｍｍ（０．０６５インチ）であり、連続するノズルの直径は１．７８ｍｍ（０．０７０インチ）、１．９０ｍｍ（０．０７５インチ）、および２．０３ｍｍ（０．０８０インチ）である。しかし、これらの測定値は、選択される直径が各ノズルから出て行く材料を等しくする傾向にあるようにして、設計用途に応じて変更されてもよい。
【００２１】
[0032]示されている実施形態では、ポリプロピレンを使用する壁部の厚みは、一般に０．８９ｍｍ（０．０３５インチ）である。
【００２２】
[0033]最後に、ノズルアレイの運動に関して、振動の周波数は、ブラシが髪を通って動かされているとき、ブラシの運動方向でのオーバーラップを生じさせるのに十分に高い周波数でなければならない。使用者は、通常は、毎秒２ｃｍの平均速度で、注意深くゆっくりと髪にブラシを通す。この構成において、より望ましい周波数は４００±４０Ｈｚであるが、３００Ｈｚの周波数が使用されてきた。適切な到達範囲を得るために、適当な周波数の決定は、ノズル直径で割ったブラッシング速度になる。一例において、ノズル外径が３．４ｍｍであり、ブラッシング速度が毎秒２ｃｍである場合、４００ＲＰＭが、その結果得られる周波数である。しかし、周波数は、特定の用途に応じて、より高くてもよい。一般に、所望の結果をもたらす、快適な最低動作周波数が選択される。
【００２３】
[0034]図６には、ノズル組立体の別の実施形態が示してある。ノズル組立体は静止枠部９０を含み、そこから、中央の運動可能ノズルアレイ９４の側方両側に、複数のフィラメント、通常は４つのフィラメント９２〜９２が延在し、ノズルアレイ９４は、スコッチヨークからの延在部９６によって動かされる。ポンプシステムによって材料が入口９８に提供され、スタティックミキサ１００によって混合され、次いで、チャネル１０２〜１０２を通って一列に並んだいくつかのノズルに提供される。
【００２４】
[0035]根元のカラーリングに続いて、根元から髪の終端（毛先）までの長さの髪を済ませる。ヘアカラーでのこの第２のステップは、プルアウトとして知られていることがある。髪のまさに毛先までうまくプルアウトするために、追加の材料を髪に塗布しなければならない。図１０〜図１２の構成では、ノズルが端部アタッチメント１１０で覆われている。示されている実施形態では、端部アタッチメントはノズルの上に嵌合し、フィラメント間に保持され、それにより、連続する端部部材１１１〜１１１の間の開口１１２〜１１２にカラー材料が入ることが可能になる。開口１１２〜１１２は、幅４ｍｍ、高さ９ｍｍである。動作に際して、アタッチメント１１０は、その端部が頭皮に直接接触した状態で、ノズルアレイとともに振動する。各端部は頭皮に対して摺動し、したがって、端部部材は大きい半径、すなわち約１ｍｍの半径を有する。使用に際しては、アタッチメントを定位置に備えた器具を、髪１１３の毛先までいっぱいに髪に通す。ヘアカラー材料およびアタッチメント開口に捕捉された髪が、１１４で示してある。
【００２５】
[0036]染料および発色剤の各包み（パケット）について、示されている実施形態において使用される流体の体積は約６０ｃｃであり、これは変更されてもよい。示されている実施形態では、単一のポンプの流量は、発色剤については毎分１０ｃｃであり、染料については毎分１０ｃｃである。流量は、粘度および他の流体係数の関数になる。器具とともに使用するための、包みに入って提供される調合物は、ポンプ流量に対して調節され、各流体の相対体積もポンプ流量に対して調節されなければならない。
【００２６】
[0037]この器具は、ヘアカラー組成物、ヘアトリートメント組成物、頭皮治療組成物、および脱毛治療組成物を含めた、種々の化粧用組成物を送達することができる。上で示したように、組成物には、ヘアトリートメント組成物、たとえばカラーリング、コンディショナ、ゲル、糊、ムース、ポマード、セラム、トニック、ワックス；頭皮治療組成物、たとえばフケ治療組成物、乾燥頭皮治療組成物、日焼け止め組成物；脱毛治療組成物、たとえば６−ピペリジン−１−イルピリミジン−２，４−ジアミン３−オキシドを含むミノキシジル組成物；シャンプーオイル、たとえばモロッカンオイルなど；抗真菌薬、ステロイド外用剤、抗寄生虫組成物、シラミ処理組成物など；脂漏性皮膚炎、乾癬、頭部シラミ、白癬（真菌）、脱毛の治療薬など；クレンジングトリートメント、スタイリングトリートメント、およびコンディショニングトリートメントが含まれるが、これらに限定はされない。
【００２７】
[0038]本発明の譲受人が所有する関連出願には、米国特許出願第１４／５５４，７９８号、米国特許出願第１４／５７２，２５０号、および米国特許出願第１４／５８６，１３８号が含まれ、これらの内容は参考として本明細書に援用される。
【００２８】
[0039]したがって、本発明は、静的ノズル枠部内の運動可能ノズルアレイを含み、フィラメントがアレイ内の個々のノズルの管路に隣接し、フィラメントは、ノズルより長く、頭皮に対するスタンドオフとして機能する。使用者により、頭皮に沿って、また髪に通して器具が動かされている間、ノズルアレイは横方向に運動する。器具は、髪の毛先を染めるように構成されたアタッチメントも含む。
【００２９】
[0040]説明の目的で、本発明の好ましい一実施形態を開示してきたが、特許請求の範囲によって定義される本発明の趣旨から逸脱しない限り、種々の変更、修正、および置換がこの実施形態に組み込まれてもよいことを理解されたい。
【図１】
2019533529.tif 000003
【図２】
2019533529.tif 000004
【図３】
2019533529.tif 000005
【図４】
2019533529.tif 000006
【図５】
2019533529.tif 000007
【図６】
2019533529.tif 000008
【図７】
2019533529.tif 000009
【図８】
2019533529.tif 000010
【図９】
2019533529.tif 000011
【図１０】
2019533529.tif 000012
【図１１】
2019533529.tif 000013
【図１２】
2019533529.tif 000014
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
器具であって、
ハンドルと、
前記ハンドル内に支持される化粧用組成物送達システムと、
化粧用組成物がそこを通って案内される複数のノズルを含むノズルアレイを含み、前記送達システムから前記化粧用組成物を受ける、ノズル組立体と、
前記器具が使用者によって髪に通されるとき、前記ノズルアレイを動かして前後に往復運動させ、それによって前記化粧用組成物を送達するモータと、
を備える、器具。
【請求項２】
請求項１に記載の器具において、前記ノズルアレイと頭皮の間のスタンドオフとして機能する、前記ノズルアレイに隣り合って位置決めされる複数のフィラメントをさらに備える、器具。
【請求項３】
請求項１に記載の器具において、前記化粧用組成物送達システムが、ヘアカラー組成物送達システムを備え、前記モータは、前記器具が前記使用者によって前記髪に通されるとき、前記髪化粧用組成物を送達するように構成される、器具。
【請求項４】
請求項１に記載の器具において、前記化粧用組成物送達システムが、ヘアトリートメント組成物、頭皮治療組成物、脱毛治療組成物、およびヘアカラー組成物のうちの少なくとも１つのための１つまたは複数の容器を含む、器具。
【請求項５】
請求項１に記載の器具において、前記ノズルが、その側方両側のフィラメントと一列に並ぶ、器具。
【請求項６】
請求項１に記載の器具において、前記ヘアカラーの到達範囲が、髪の根元では約１ｃｍである、器具。
【請求項７】
請求項３に記載の器具において、前記ノズルの運動が、少なくとも中心から中心までのノズル間隔と同じ大きさの振幅を有する、器具。
【請求項８】
請求項２に記載の器具において、前記フィラメントと前記ノズルの間のスタンドオフ距離が、少なくとも１．２７ｍｍ（０．０５インチ）である、器具。
【請求項９】
請求項６に記載の器具において、前記ノズルアレイが前記髪を通って動かされたとき、前記器具の動作によって毛管作用が生じ、それによって前記根元で染められる髪の長さが長くなる、器具。
【請求項１０】
請求項１に記載の器具において、隣り合うノズル同士の間、および隣り合うフィラメント同士の間に、４０〜５０％の範囲の、あるパーセンテージの開いた領域を含む、器具。
【請求項１１】
請求項１に記載の器具において、前記ノズルが、少なくとも約１．０２ｍｍ（０．０４０インチ）の孔を有する、器具。
【請求項１２】
請求項１１に記載の器具において、前記孔が、前記ノズルアレイへの前記ヘアカラー組成物の入口地点のノズルから、連続するノズルに向けて大きくなる、器具。
【請求項１３】
請求項１に記載の器具において、前記ノズルアレイの振動の周波数が約４００Ｈｚである、器具。
【請求項１４】
請求項３に記載の器具において、前記ノズルアレイに位置決め可能なアタッチメント部材を含み、前記アタッチメント部材は、前記ノズルより下に延在し、成形された端部部材と、前記ノズルに流体連通した、前記端部部材間の開口とを有し、髪がその根元から毛先まで前記開口に通される、アタッチメント部材を含む、器具。
【請求項１５】
請求項１４に記載の器具において、前記端部部材の下端部が、前記頭皮と快適に接触するように湾曲している、器具。
【手続補正２】
【補正対象書類名】明細書
【補正対象項目名】００２９
【補正方法】変更
【補正の内容】
【００２９】
[0040]説明の目的で、本発明の好ましい一実施形態を開示してきたが、特許請求の範囲によって定義される本発明の趣旨から逸脱しない限り、種々の変更、修正、および置換がこの実施形態に組み込まれてもよいことを理解されたい。
［形態１］
器具であって、
ハンドルと、
前記ハンドル内に支持される化粧用組成物送達システムと、
化粧用組成物がそこを通って案内される複数のノズルを含むノズルアレイを含み、前記送達システムから前記化粧用組成物を受ける、ノズル組立体と、
前記器具が使用者によって髪に通されるとき、前記ノズルアレイを動かして前後に往復運動させ、それによって前記化粧用組成物を送達するモータと、
を備える、器具。
［形態２］
形態１に記載の器具において、前記ノズルアレイと頭皮の間のスタンドオフとして機能する、前記ノズルアレイに隣り合って位置決めされる複数のフィラメントをさらに備える、器具。
［形態３］
形態１に記載の器具において、前記化粧用組成物送達システムが、ヘアカラー組成物送達システムを備え、前記モータは、前記器具が前記使用者によって前記髪に通されるとき、前記髪化粧用組成物を送達するように構成される、器具。
［形態４］
形態１に記載の器具において、前記化粧用組成物送達システムが、ヘアトリートメント組成物、頭皮治療組成物、脱毛治療組成物、およびヘアカラー組成物のうちの少なくとも１つのための１つまたは複数の容器を含む、器具。
［形態５］
形態１に記載の器具において、前記ノズルが、その側方両側のフィラメントと一列に並ぶ、器具。
［形態６］
形態５に記載の器具において、前記ノズルアレイが、間隔を空けられた４つのノズルを含み、前記ノズルの両側に、間隔を空けられた４つのフィラメントを含む、器具。
［形態７］
形態１に記載の器具において、前記ヘアカラーの到達範囲が、髪の根元では約１ｃｍである、器具。
［形態８］
形態３に記載の器具において、前記ノズルの運動が、少なくとも中心から中心までのノズル間隔と同じ大きさの振幅を有する、器具。
［形態９］
形態２に記載の器具において、前記フィラメントと前記ノズルの間のスタンドオフ距離が、少なくとも１．２７ｍｍ（０．０５インチ）である、器具。
［形態１０］
形態７に記載の器具において、前記ノズルアレイが前記髪を通って動かされたとき、前記器具の動作によって毛管作用が生じ、それによって前記根元で染められる髪の長さが長くなる、器具。
［形態１１］
形態１に記載の器具において、前記ノズルが、少なくとも約１．６５ｃｍ（０．６５インチ）の長さである、器具。
［形態１２］
形態１に記載の器具において、前記ノズルが、約１．０２ｃｍ（０．４インチ）離して間隔を空けられる、器具。
［形態１３］
形態１に記載の器具において、隣り合うノズル同士の間、および隣り合うフィラメント同士の間に、４０〜５０％の範囲の、あるパーセンテージの開いた領域を含む、器具。
［形態１４］
形態１に記載の器具において、前記ノズルが、少なくとも約０．１ｍｍ（０．０４０インチ）の孔を有する、器具。
［形態１５］
形態１１に記載の器具において、前記孔が、前記ノズルアレイへの前記ヘアカラー組成物の入口地点のノズルから、連続するノズルに向けて大きくなる、器具。
［形態１６］
形態１に記載の器具において、前記ノズルアレイの振動の周波数が約４００Ｈｚである、器具。
［形態１７］
形態３に記載の器具において、髪をその根元から毛先まで開口を通過させるとき、前記ノズルアレイに位置決め可能であり、前記ノズルより下に延在し、成形された端部部材と、前記ノズルに流体連通した、前記端部部材間の前記開口とを有する、アタッチメント部材を含む、器具。
［形態１８］
形態１７に記載の器具において、前記端部部材の下端部が、前記頭皮と快適に接触するように湾曲している、器具。
【国際調査報告】
2019533529.tif 000015
2019533529.tif 000016